(57)【要約】      （修正有）【課題】保温性を高めて効果的に半身浴が行え、製造工程を簡単にして安価に製造することができ、更には強い強度が得られる、浴槽用保温蓋を提供する。【解決手段】入浴者の手及び腕を出すための腕差出部７と頭を出すための頭差出部８を形成した厚さ約２６ｍｍの発泡合成樹脂板において、腕差出部と頭差出部の略中間部に補強金具４を埋設すると共に発泡合成樹脂板の表面に同一形状で厚さ約０．５ｍｍのポリカーボネート板を蒸着し、更にポリカーボネート板を蒸着した発泡合成樹脂板の辺縁部にシール材５を冠着すると共にポリカーボネート板とシール材の接合部にコーキング材を塗布して形成した差出蓋と、同様の方法で形成した方形状の密閉蓋にて構成する。【選択図】図１
0003192525.tif 000002
【実用新案登録請求の範囲】
【請求項１】
入浴者の手及び腕を出すための腕差出部と頭を出すための頭差出部を形成した厚さ約２６ｍｍの発泡合成樹脂板において、前記腕差出部と頭差出部の略中間部に補強金具を埋設すると共に当該発泡合成樹脂板の表面に同一形状で厚さ約０．５ｍｍのポリカーボネート板を蒸着し、更に前記ポリカーボネート板を蒸着した発泡合成樹脂板の辺縁部にシール材を冠着すると共に前記ポリカーボネート板とシール材の接合部にコーキング材を塗布して形成した差出蓋と、該差出蓋以外の浴槽の上面を覆うべく同様の方法で形成した方形状の密閉蓋にて構成することを特徴とした、浴槽用保温蓋。
【考案の詳細な説明】
【技術分野】
【０００１】  本考案は、一般家庭内に設置された浴槽の上面に載置する浴槽用蓋に関し、特に保温性を高めて半身浴に好適となる、浴槽用保温蓋の改良に関するものである。
【背景技術】
【０００２】  従来、一般家庭内における入浴設備として風呂が使用されている。該風呂は、お湯を張った浴槽内に体全体を浸して温まるものである。入浴時以外は、浴槽内のお湯の温度が冷めないように当該浴槽の上面に樹脂又は樹脂と金属の複合素材等で形成された蓋を載置している。【０００３】  上記入浴方法はいわゆる全身浴であるが、近年にあっては浴槽内に張るお湯の量を減らし、胸より下の部分だけ浸る半身浴が流行っている。該半身浴は、お湯の温度を全身浴より低めの約３８℃〜４０℃とし、入浴時間を全身浴より長めの約３０分〜４０分とし、リラックスした気分でゆったりと浸る方法である。該半身浴は全身浴に比べて体にかかる負担が少ないため、高齢者や妊婦及び何らかの理由により医者から全身浴が不適とされた者は勿論のこと、疲労回復や美容及びリラクゼーション等に効果があるとされることから、多くの人が行っている。【０００４】  上記半身浴を行う場合、全身浴に比べて浴槽に張るお湯の温度が低いことと量が少ないこと及び入浴時間が長いことなどによりお湯の温度が下がりやすく、特に冬の寒い時期にあっては上半身が冷えるとともにお湯の追い炊きや張り増しが必要となり、効果的な半身浴が行えないという問題点があった。このような問題点を解決すべく、本願出願人による実用新案登録第３１７７７１０号公報の考案の名称「浴槽用保温蓋」では、保温性を高めて効果的に半身浴が行え、構造もシンプルで衛生的に使用することができることを特徴とした、浴槽用保温蓋を提案した。【０００５】
【特許文献１】実用新案登録第３１７７７１０号
【考案の開示】
【考案が解決しようとする課題】
【０００６】  上記公報においては、浴槽用保温蓋を、入浴者の手及び腕を出すための腕差出部と頭を出すための頭差出部を形成した差出蓋と、該差出蓋以外の浴槽の上面を密閉して覆うための密閉蓋にて構成し、前記差出蓋と密閉蓋は、防水用のフィルムカバーを溶着した厚さが約２０ｍｍの発泡合成樹脂板２枚を対向して貼着し、該貼着した発泡合成樹脂板の辺縁部に形成された溝にコーキング材を充填して形成する構造のものであった。【０００７】  しかしながら、上記浴槽用保温蓋を形成する際において、防水用のフィルムカバーを発泡合成樹脂板に貼着するための製造コストや、厚さが約２０ｍｍの発泡合成樹脂板２枚を対向して貼着して蓋を形成するための製造コスト、及び発泡合成樹脂板の辺縁部に形成された溝にコーキング材を充填するための作業コストなど、それぞれ割高となってしまうため、トータル的に商品価格も割高になってしまうという問題点が発生した。また、蓋の構成要素が発泡合成樹脂板と防水用のフィルムカバーのみのために強度が弱いという欠点もあった。【０００８】  本考案は、上記の問題点や欠点を解決するために成されたものであり、保温性を高めて効果的に半身浴が行え、製造工程を簡単にして安価に製造することができ、更には強い強度が得られる、浴槽用保温蓋を提供することを目的とする。
【課題を解決するための手段】
【０００９】  上記課題を解決するため、本考案の浴槽用保温蓋は、入浴者の手及び腕を出すための腕差出部と頭を出すための頭差出部を形成した厚さ約２６ｍｍの発泡合成樹脂板において、前記腕差出部と頭差出部の略中間部に補強金具を埋設すると共に当該発泡合成樹脂板の表面に同一形状で厚さ約０．５ｍｍのポリカーボネート板を蒸着し、更に前記ポリカーボネート板を蒸着した発泡合成樹脂板の辺縁部にシール材を冠着すると共に前記ポリカーボネート板とシール材の接合部にコーキング材を塗布して形成した差出蓋と、該差出蓋以外の浴槽の上面を覆うべく同様の方法で形成した方形状の密閉蓋にて構成する。
【考案の効果】
【００１０】  本考案の浴槽用保温蓋を用いれば、断熱材としての発泡合成樹脂板の厚さが約２６ｍｍあるため、従来の蓋に比べて保温性が高くなり、効果的に半身浴が行えるという効果を奏する。また、発泡合成樹脂板の表面加工及び辺縁部の処理工程が簡単になるため、安価に製品を提供することができるという効果を奏する。更には表面部材をポリカーボネート板にすると共に補強金具を埋設したことにより強度が格段に増すという効果を奏する。
【考案を実施するための最良の形態】
【００１１】  本考案を実施するための最良の形態を図を用いて説明する。【００１２】  図１は本考案の浴槽用保温蓋を構成する差出蓋の外形図であり、図２は図１におけるＡ−Ａ側面断面図である。該図に示すように、差出蓋１は、入浴者の手及び腕を出すための腕差出部７と頭を出すための頭差出部８を形成した厚さ約２６ｍｍの発泡合成樹脂板２において、前記腕差出部７と頭差出部８の略中間部に補強金具４を埋設すると共に当該発泡合成樹脂板２の表面に同一形状で厚さ約０．５ｍｍのポリカーボネート板３を蒸着した断熱蓋とする。前記腕差出部７は、差出蓋１の長辺方向一端面において入浴者の肩幅程度の間隔を有して腕が楽に出し入れできる程度の大きさのＵ字状切欠け部で形成し、頭差出部８は、差出蓋１の長辺方向他端面における中央部に頭が楽に出し入れできる程度の大きさのＵ字状切欠け部で形成する。補強金具４は厚さ約１ｍｍの金属板をコ字状に形成したものが好ましいが、材質や形状及び寸法は特に限定するものではない。また、ポリカーボネート板３には、カラフルな色やデザインを施すのが好ましい。【００１３】  図３は図１におけるＢ−Ｂ側面断面図である。該図に示すように、上記ポリカーボネート板３を蒸着した発泡合成樹脂板２の辺縁部にゴム素材のシール材５を冠着すると共に前記ポリカーボネート板３とシール材５の接合部にコーキング材６を塗布して形成する。前記シール材５の内側中央部には凸状の保持部１０が形成され、発泡合成樹脂板２の辺縁中央部に削成された溝９に前記シール材５の保持部１０を挿入することにより確実な冠着が行われる。【００１４】  図４は本考案の浴槽用保温蓋を使用して半身浴を行っている状態図である。該図に示すように、浴槽１１内には半身浴を行うべく入浴者１４の胸より下の部分だけが浸る程度にお湯１２が張ってあり、該浴槽１１の上面には入浴者１４の腕や頭を出すための差出蓋１と、他の部分を密閉するための密閉蓋１３が載置されている。ここで入浴者１４は腕差出部７より腕を出し、頭差出部８より頭を出して胸より下の部分だけが浸るように入浴することにより、浴槽１１内の蒸気を外部に逃がすことなく保温性を高めて効果的に半身浴を行うことができる。半身浴の入浴時間は全身浴より長めの約３０分〜４０分と長いため、前記腕差出部７より出した手で汗を拭いたり水分を補給したり、更には本１５を読んだり携帯電話やゲーム機など（図示せず）の操作を行うことができる。なお、該図では密閉蓋１３を２枚で構成したものを示しているが、１枚で構成しても構わない。また、密閉蓋１３を使用せずに従来の蓋を利用しても構わない。
【図面の簡単な説明】
【００１５】
【図１】本考案の浴槽用保温蓋を構成する差出蓋の外形図である。
【図２】図１におけるＡ−Ａ側面断面図である。
【図３】図１におけるＢ−Ｂ側面断面図である。
【図４】本考案の浴槽用保温蓋を使用して半身浴を行っている状態図である。
【符号の説明】
【００１６】    １  差出蓋
２  発泡合成樹脂板
３  ポリカーボネート板
４  補強金具
５  シール材
６  コーキング材
７  腕差出部
８  頭差出部
９  保持部
１０  溝
１１  浴槽
１２  お湯
１３  密閉蓋
１４  入浴者
１５  本
【図１】
0003192525.tif 000003
【図２】
0003192525.tif 000004
【図３】
0003192525.tif 000005
【図４】
0003192525.tif 000006